(57)【要約】【課題】光束利用効率を低下させることなく発光範囲を拡大できる灯具用レンズ、および、このレンズを用いて隣接する灯具の境界部を明るく発光させることができるコンビネーション灯具を提供する。【解決手段】椀形のレンズ本体１５に、ＬＥＤ光源１３からの光Ｌ１をレンズ本体１５の内部に入射させる入射面１６と、入射光Ｌ２を灯具１１の前方に向けて内面反射する反射面１７と、反射光Ｌ３をレンズ本体１５の外部に出射する出射面１８とを設ける。反射面の一部に、入射光Ｌ２の一部を反射光Ｌ３の周囲に向かわせる偏光部１９を形成する。偏光部１９は、入射光Ｌ２の一部が反射面１７からレンズ本体１５の外部に漏れ出るような形状で形成されている。出射面１８は、漏れ光Ｌ４を反射光Ｌ３の周囲において灯具１１の前方に向けて出射する周縁部１８ｃを含む。【選択図】図２
2016207408.tif 000002
【特許請求の範囲】
【請求項１】
レンズ本体に、光源からの光をレンズ本体の内部に入射させる入射面と、入射光を灯具の前方に向けて内面反射する反射面と、反射光をレンズ本体の外部に出射する出射面とを設け、前記反射面の一部に、前記入射光の一部が前記反射面から前記レンズ本体の外部に漏れ出るような形状の偏光部を形成したことを特徴とする灯具用レンズ。
【請求項２】
前記出射面が、前記レンズ本体の外部に漏れ出た光を灯具の前方に向けて出射する周縁部を含む請求項１記載の灯具用レンズ。
【請求項３】
前記入射面が、光源からの光を拡散して前記レンズ本体の内部に入射させる光拡散部を含む請求項１又は２記載の灯具用レンズ。
【請求項４】
第１灯具と第２灯具を並設し、第１灯具に光源とレンズを設け、該レンズに請求項１〜３の何れか一項に記載の灯具用レンズを使用し、該灯具用レンズの前記偏光部が第１灯具の光源から入射した光の一部を第１灯具と第２灯具の境界部に向かわせることを特徴とするコンビネーション灯具。
【発明の詳細な説明】
【技術分野】
【０００１】
本発明は、入射光を内面反射させて灯具前方へ出射する灯具用レンズ、および、複数の灯具を組み合わせたコンビネーション灯具に関する。
【背景技術】
【０００２】
車両用のコンビネーション灯具として、テール・ストップランプとバックアップランプとターンシグナルランプを組み合わせたリアコンビネーションランプが知られている。例えば、特許文献１のリアコンビネーションランプは、テール・ストップランプに複数のレンズを使用し、椀形のレンズ本体に入射面と反射面と段付き出射面とを形成し、光源からの入射光を反射面で内面反射させ、反射光をレンズ本体の中心側（光源の光軸側）に屈折させて段付き出射面から灯具前方へ出射するように構成されている。
【先行技術文献】
【特許文献】
【０００３】
【特許文献１】特許５４４２３２１号公報
【発明の概要】
【発明が解決しようとする課題】
【０００４】
従来の灯具用レンズは、入射光を内面反射させることで、光束の利用効率を高め、比較的高輝度の照明光を得られる利点がある。しかし、反射光がレンズの中心側に屈折されるため、レンズ外周側への配光量が減少することがあった。したがって、従来のレンズをコンビネーション灯具に使用すると、隣接する灯具の境界部がやや暗くなり、複数の灯具の連続感が薄れたり、灯具全体の見栄えに影響を与えたりするなどの課題があった。
【０００５】
そこで、本発明の目的は、光束の利用効率を低下させることなく発光範囲を拡大できる灯具用レンズ、および、該レンズを用いて隣接する灯具の境界部を明るく発光させることができるコンビネーション灯具を提供することにある。
【課題を解決するための手段】
【０００６】
上記課題を解決するために、本発明は次のような手段を提供する。
（１）  レンズ本体に、光源からの光をレンズ本体の内部に入射させる入射面と、入射光を灯具の前方に向けて内面反射する反射面と、反射光をレンズ本体の外部に出射する出射面とを設け、反射面の一部に、入射光の一部が反射面からレンズ本体の外部に漏れ出るような形状の偏光部を形成したことを特徴とする灯具用レンズ。
【０００７】
（２）  出射面が、レンズ本体の外部に漏れ出た光を灯具の前方に向けて出射する周縁部を含むことを特徴とする上記１に記載の灯具用レンズ。
【０００８】
（３）  入射面が、光源からの光を拡散してレンズ本体の内部に入射させる光拡散部を含むことを特徴とする上記１又は２に記載の灯具用レンズ。
【０００９】
（４）  第１灯具と第２灯具を並設し、第１灯具に光源とレンズを設け、該レンズに上記１〜３の何れか一つに記載の灯具用レンズを使用し、該灯具用レンズの偏光部が第１灯具の光源から入射した光の一部を第１灯具と第２灯具の境界部に向かわせることを特徴とするコンビネーション灯具。
【発明の効果】
【００１０】
本発明の灯具用レンズによれば、偏光部が入射光の一部を反射光の周囲に向かわせるので、光束利用効率を低下させることなく、発光範囲を増やすことができるという優れた効果を奏する。また、本発明のコンビネーション灯具によれば、灯具用レンズの偏光部が入射光の一部を隣接する灯具との境界部に向かわせるので、その境界部を明るくして灯具デザインを改良できるという効果がある。
【図面の簡単な説明】
【００１１】
【図１】本発明のコンビネーション灯具の一実施形態を示す正面図である。
【図２】本発明の灯具用レンズの一実施形態を示す図１のＡ−Ａ線断面図である。
【図３】図２の灯具用レンズの変更例を示す断面および正面図である。
【図４】光拡散部を備えない灯具用レンズを示す断面および正面図である。
【図５】光拡散部を備えた灯具用レンズを示す断面および正面図である。
【図６】本発明のコンビネーション灯具の別の実施形態を示す平面図である。
【図７】図６の灯具に用いられている灯具用レンズを示す斜視図である。
【図８】図２の灯具用レンズの変形例を示す断面図である。
【発明を実施するための形態】
【００１２】
以下、本発明を車両用コンビネーション灯具と、その灯具用レンズに具体化した一実施形態を図面に基づいて説明する。図１に示す車両用コンビネーション灯具１は、ストップランプとして機能する第１灯具１１と、テールランプとして機能する第２灯具２１とを組み合わせて構成されている。第１灯具１１と第２灯具２１の境界部には所定寸法の隙間３が画定され、隙間３を介して二つの灯具１１，２１が共通の灯具ハウジング２の内側に並設されている。
【００１３】
第１灯具１１は、一部が欠けた円形のベース１２と、ベース１２の背後に設置された４つのＬＥＤ光源１３と、ＬＥＤ光源１３と同数の灯具用レンズ１４とを備え、ベース１２およびレンズ１４が透明樹脂材料で一体形成されている。第２灯具２１には、ＬＥＤ光源２２とリフレクタ２３が設けられ、必要に応じてインナーレンズが設けられる。そして、点灯時に二つの灯具１１，２１が同じ赤色の照明光を前面カバー（図示略）に透過させて灯具前方へ出射するようになっている。
【００１４】
図２に示すように、第１灯具１１のレンズ１４は、ベース１２の背面からＬＥＤ光源１３側に突出する椀形のレンズ本体１５を備えている。レンズ本体１５には、ＬＥＤ光源１３からの光Ｌ１をレンズ本体１５の内部に入射させる凹形の入射面１６と、入射面１６からの入射光Ｌ２を第１灯具１１の前方に向けて内面反射する反射面１７と、反射面１７からの反射光Ｌ３をレンズ本体１５の外部に出射する出射面１８とが形成されている。
【００１５】
出射面１８は、光源１３の光軸１３Ａ上に位置する凸レンズ部１８ａと、凸レンズ部１８ａの外側に広がる蜘蛛の巣状（図１参照）の段付きステップ部１８ｂと、段付きステップ部１８ｂの周りを囲む周縁部１８ｃとからなっている。そして、反射面１７および凸レンズ部１８ａによって光軸１３Ａ側へ屈折された光を発光範囲Ｒ内に含まれる出射面１８から第１灯具１１の前方（車両後方）へ出射するようになっている。
【００１６】
反射面１７の一部には、入射光Ｌ２の一部を反射光Ｌ３の周囲に向かわせる偏光部１９が形成されている。この偏光部１９は、一部の入射光Ｌ２が反射面１７からレンズ本体１５の外部に漏れ出すような形状、例えば断面三角形の凸形に形成されている。偏光部１９より外周側において、レンズ本体１５の背面には、漏れ光Ｌ４を再入射させるための再入射面２０が形成され、再入射光Ｌ５が反射光Ｌ３の周囲において出射面１８の周縁部１８ｃから第１灯具１１の前方に向けて出射される。
【００１７】
なお、偏光部１９は、図２に示す凸形に限定されず、図３（ａ）に示すように、レンズ本体１５の背面から内部に凹む凹形に形成することもできる。また、偏光部１９をレンズ本体１５の全周にわたって延びる環状に形成することもでき、図３（ｂ）に示すように、偏光部１９からの光が灯具周辺の発光させたい部位のみに向かうようにレンズ本体１５の一箇所または複数個所に設けることもできる。
【００１８】
上記構成の灯具用レンズ１４によれば、入射光Ｌ２の大部分が反射面１７と凸レンズ部１８ａによって光軸１３Ａ側へ屈折されるので、光束の利用効率を高め、所定の発光範囲Ｒ（図２参照）から高輝度の照明光を出射することができる。また、偏光部１９が少量の入射光Ｌ２をレンズ本体１５の外部に漏らして反射光Ｌ３の周囲に向かわせるので、光束利用効率を低下させることなく、灯具用レンズ１４の発光範囲を拡大させ（Ｒ＜Ｒ’）、出射面１８の周縁部１８ｃを発光させることができる。
【００１９】
したがって、図１に示すコンビネーション灯具１において第１灯具１１の上側二つのレンズ１４の偏光部１９から漏れ出た光を第１灯具１１と第２灯具２１の境界部にある隙間３に向かわせることで、隙間３の周辺域においてベース１２に比較的輝度の低い発光部１２ａを形成することができる。そして、発光部１２ａにより第１および第２灯具１１，２１の境界部を明るくし、点灯時におけるコンビネーション灯具１の全体的な見栄えを高めることができる。
【００２０】
ところで、この実施形態の灯具用レンズ１４では、図４に示すように、反射面１７からの反射光Ｌ３によって、比較的小さな面積の段付きステップ部１８ｂに発光像３１が形成される。一般に、発光面の明るさを表す単位である輝度は、その発光面を見た方向の光度（ｃｄ）／見た方向の投影面積（ｍ2）で求められる。このため、バルブ光源と比較して光度の高いＬＥＤ光源１３を使用し、反射光Ｌ３を小面積の段付きステップ部１８ｂに結像させた場合、発光像３１の輝度が見る人に眩しさを与える程度まで高くなる。
【００２１】
そこで、図５に示す灯具用レンズ１４では、入射面１６に光拡散部としてのシボ加工部３２が設けられ、ＬＥＤ光源１３からの光Ｌ１を拡散してレンズ本体１５の内部に入射させるようになっている。こうすれば、入射光Ｌ２がレンズ本体１５の内部で拡散されるため、段付きステップ部１８ｂにおける発光像３１の面積を拡大し、その輝度を抑制して眩しさを緩和することができる。また、シボ加工部３２が入射面１６に設けられているため、出射面１８に形成する場合とは異なり、非点灯時に出射面１８の光沢が低下するおそれもない。
【００２２】
次に、本発明の別の実施形態を図６、図７に基づいて説明する。図６に示す車両用コンビネーション灯具４１では、灯具ハウジング４２と前面カバー４３の間に形成された灯室４４に、第１灯具５１と第２灯具５２と第３灯具５３とが並設されている。第１〜第３灯具５１〜５３は、それぞれＬＥＤ光源５４と灯具用レンズ５５を備えている。各灯具用レンズ５５のレンズ本体５６は、隣接する灯具の境界部４５を介して灯具並設方向へ連続するように、透明樹脂材料で板状に一体成形されている。
【００２３】
レンズ本体５６には、前記実施形態と同様の入射面５７、反射面５８および出射面５９が形成されている。出射面５９は、３つの灯具５１〜５３に連続して延びる幅狭の曲面となっていて、反射面５８により光軸５４Ａ側へ屈折された光を各灯具５１〜５３の前方へ出射する。そして、反射面５８の一部に偏光部６０が形成され、偏光部６０からの漏れ光Ｌ４を再入射面６１に入射させ、再入射光Ｌ５を反射光Ｌ３の周囲において、隣接する灯具の境界部４５を通過させて出射面５９から前方へ出射するように構成されている。
【００２４】
したがって、この実施形態の車両用コンビネーション灯具４１によれば、偏光部６０からの光を３つの灯具５１〜５３の境界部４５に向かわせ、この境界部４５を明るくすることで、各灯具５１〜５３の出射面５９を全体にわたって均一に発光させることができ、もって、点灯時におけるコンビネーション灯具１の見栄えを向上させることができる。その他の構成並びに作用効果は前記実施形態と同様である。
【００２５】
なお、図２および図６は、本発明による灯具用レンズの代表的な実施例を示したに過ぎない。灯具用レンズの形状や光路は、レンズの用途や灯具の種類に応じて任意に変更することができる。例えば、図８は図２の灯具用レンズ１４の変形例を示す。このレンズ形状は、偏光部１９からの漏れ光Ｌ４がレンズ１４の外周部を直射した後に出射面１８の周縁部１８ｃから灯具１１の前方へ向かうように設定されている。
【００２６】
その他、本発明は、上記実施形態に限定されるものではなく、例えば、コンビネーション灯具を構成する灯具数や灯具形状または用途を変更したり、灯具用レンズの反射面や偏光部の形状を変更したりするなど、発明の趣旨を逸脱しない範囲で、各部の構成を適宜変更して実施することも可能である。
【符号の説明】
【００２７】
１    車両用コンビネーション灯具
２    灯具ハウジング
３    境界部の隙間
１１    第１灯具
１３    ＬＥＤ光源
１４    灯具用レンズ
１５    レンズ本体
１６    入射面
１７    反射面
１８    出射面
１８ｃ  周縁部
１９    偏光部
２１    第２灯具
２２    ＬＥＤ光源
３２    シボ加工部
４１    車両用コンビネーション灯具
４５    境界部
５１    第１灯具
５２    第２灯具
５３    第３灯具
【図１】
2016207408.tif 000003
【図２】
2016207408.tif 000004
【図３】
2016207408.tif 000005
【図４】
2016207408.tif 000006
【図５】
2016207408.tif 000007
【図６】
2016207408.tif 000008
【図７】
2016207408.tif 000009
【図８】
2016207408.tif 000010